Podtech/llm-jp-corpus-v4-ja_patent huggingface dataset:
(57)【要約】      （修正有）【課題】建築物の内壁又は外壁に陰影を強調した厚みのある装飾をモルタル又はコンクリートで表現できると共に水の浸入により石灰分が溶けだす白化現象がない装飾ブロックの製造方法と装飾方法を提供する。【解決手段】動物や花などの造形を施した型枠を３Ｄプリンターで製作し、この型枠を使用して装飾ブロック１を製造する。装飾ブロック１を壁面に取り付けする際、ビス３及びボルトとコーキング２を併用する。【選択図】図２
2015001098.tif 000002
【特許請求の範囲】
【請求項１】
建築物の内壁又は外壁に、陰影を強調した厚みのある装飾として、動物や花その        他色々な造形を、モルタルまたはコンクリートで表現し、設置することを特徴と        した装飾ブロックとその装飾方法。
【請求項２】
請求項１記載の装飾ブロックの製造方法。
【請求項３】
請求項１記載の装飾ブロックを当該壁面に取り付けする際、ビス及びボルト            とコー キングを併用することを特徴とした壁面装飾方法・
【請求項４】
請求項１記載の装飾ブロックの型枠に３Ｄプリンターで製作したプラス                チック型枠を使用することを特徴とした型枠製造方法。
【発明の詳細な説明】
【技術分野】
【０００１】
本発明は、装飾しようする壁面に、表現しようとするデザインに応じた色や形状を変えたモルタルまたはコンクリートで作ったブロックをビス又はボルトで、コーキングを併用して固定するものである。
当該ブロックの中央部分に図１の通り壁面にあらかじめ穿孔していた下穴とをビスにより固定するものである。これにより経年劣化による落下の危険を軽減し、なおかつ奥行きのある美観に優れた壁面装飾が可能になる。
【背景技術】
【０００２】
従来の建築物の内外壁装飾はタイル貼りや吹き付け塗装、或いは金属    板、サイディング等で、平面的なものが大半である。古来、世界遺産で代表される、    古代遺跡には芸術的なレリーフが数多く用いられてきたが近代の建築物は経済性、機    能性を追求し、芸術性は低下している。
【産業上の利用可能性】
【０００３】
本発明は、建築物或いは工作物に使用する装飾用ブロック体の製法と施    工方法である。本発明は特に建築物内外壁のデザイン装飾、門扉、塀、等工作物の良    好なる視覚的環境と芸術性を得ようとするものである。
【先行技術文献】
【特許文献】
【０００４】
【特許文献１】特開    ２００３−１６６２５５
【特許文献２】特願平  ２００６−２３４１８６
【特許文献３】特願平  １１−１６８４３７
【発明の概要】
【発明が解決しようとする課題】
【０００５】
上記した壁面には次のような課題があった。
Ａ  タイル貼りは、糊張り工法のため、経年劣化で落下の危険がある。
Ｂ  塗装、及び吹き付け工事は平面的で奥行きのないものであった。
Ｃ  コンクリート工事において、凹凸をつけるのは、施工が複雑で長時間の熟練作業        が必要となりコストが膨大にかかった。
Ｄ  コンクリート打ち放し工事、タイル工事ともに水の浸入により石灰分の溶けだす        白化現象があった。
【課題を解決するための手段】
【０００６】
上記問題を解決するために講じた本発明の手段は次の通りである。
使用する装飾用ブロック体を安価に大量生産する型枠について説明する。図３に示す    ように、相互に欠ぎこんだ型枠を、組み合わせその型枠の底板を穿孔し、Ｐコン、長    ナット、六角ボルトの順に、図４にしめす通り固定する。面木、目地棒等で型取り、    装飾ブロックの模様を造形する。また色々な要望に対応出来るよう３Ｄプリンターで    作った模様を底板に設置する。モルタルを流し込み、硬化後、乾燥期間を十分とり脱    型する。
【０００７】
装飾を施す壁面などに設けられる模様とは、モルタル投入まえに型枠に設置された、    面木、目地棒、タイル、陶器、等によりデザインされる。型枠の底面には、図３に示    すように、３Ｄプリンターで造形した模様または、レリーフを全部、或いは一部に設    置する。
本発明にいう模様とは、文字、図形、記号、絵画、またはそれらの結合したものを含    む」概念である。
【０００８】
取り付けの際、接着剤及び防水剤としてコーキングを本体ブロック裏面に塗布し、ビ    スもしくはボルトで当該壁面に本体ブロックを締め付け固定する。
【発明の効果】
【０００９】
本体ブロックは、接着剤とビス（又はボルト）とを併用することにより、経年劣化に    よる落下事故を防止する。
【００１０】
接着剤にコーキングを使用することにより、水の浸入を阻止して白化現象を防止す      る。
【００１１】
本体ブロックは、通常後付け施工のため、リフォームにも対応できる。又追加、変更    も容易である。
【００１２】
本体ブロックは図５に示す相互に欠ぎこんだ、板の組み合わせにより均質で、安価に    大量生産できる。また３Ｄプリンターにより制作した型枠使用により安価に芸術的に    優れた模様のブロックの生産が可能になる。
【００１３】
本発明は、建築物内外壁の装飾ブロックの配置により、切り絵手法の絵画張り、        チェック柄や市松柄の模様張り、連続幾何学模様張り等、自在に安価に施工できて従    来の工事手法では困難であった接近した或いは接触した突起模様が構成出来、建築      物の美観的価値を高める。図６〜図８にデザインの一例を示す。
【図面の簡単な説明】
【００１４】
【図１】この発明の本体ブロックの取り付け直前の断面図である。
【図２】この発明の本体ブロックの取り付け終了時の断面図である。
【図３】この発明の本体ブロックの型枠制作斜視図である。
【図４】この発明の本体ブロックの製作用型枠断面図である。
【図５】この発明の本体ブロックの斜視図である。
【図６】この発明の建築物への本体ブロックデザインの一例である。
【図７】この発明の門扉、塀への本体ブロックデザインの一例である。
【図８】この発明の建築物への本体ブロックデザインの一例である。
【符号の説明】
【００１５】
１    装飾ブロック本体
２    本体ブロック接着用コーキング
３    本体締めつけ固定用ビス（径4mm以上長さ6mm以上）
４    本体打ち込み長ナット
５    ３Ｄプリンターで造形したフ゜ラスチック型枠
６    六角ボルト
７    長ナット（7.5〜１３mm）
８    建築用型枠Ｐコン金物
９    本体ブロック製作用型枠
１０  Ｐコン金物固定用六角ボルト
１１  コンクリート製塀
【図１】
2015001098.tif 000003
【図２】
2015001098.tif 000004
【図３】
2015001098.tif 000005
【図４】
2015001098.tif 000006
【図５】
2015001098.tif 000007
【図６】
2015001098.tif 000008
【図７】
2015001098.tif 000009
【図８】
2015001098.tif 000010